(57)【要約】【課題】亡くなった故人等と親密な関係に有った遺族等が、その後も故人等との精神的な繋がりを大切にしたいと願う心で所持する形見の品の提供。【解決手段】柩に蓋を固定する際に打ち込むくぎであって、耐火性を有する材質製とし、その頭部３または胴部４上部寄りに、掛止用の通孔５を形成すると共に、所望なら故人と関係のある文字を付すことが可能な余白部６を形成し、かつ先部７をやや滑らかに形成し、または事後の携帯時にキュップを被せて用いるようにしてある。【選択図】　　　　図５
0003098368.tif 000002
【実用新案登録請求の範囲】
【請求項１】
柩１に蓋２をする際に打ち込むくぎであって、
耐火性を有する材質製とし、
その頭部３または胴部４の一部に、掛止用の通孔５を形成してあると共に、
所望なら故人と関係のある文字を付すことが可能な余白部６を形成し、
かつ先部７をやや滑らかに形成してあることを特徴とする、形見くぎ。
【請求項２】
柩１に蓋２をする際に打ち込むくぎであって、
耐火性を有する材質製とし、
その頭部３または胴部４の一部に、掛止用の通孔５を形成してあると共に、
所望なら故人と関係のある文字を付すことが可能な余白部６を形成し、
かつ先部７に、事後の携帯時にキャップ９を被せて用いるようにしたことを特徴とする、形見くぎ。
【考案の詳細な説明】
【０００１】
【考案の属する技術分野】
本考案は、亡くなった人や死んだペット動物（以下故人等という）の形見として、故人等との思い出を大切にしたい遺族や飼い主だった人等（以下遺族等という）が、思い出や精神的な繋がりを大切にしたく思って所持する「形見くぎ」に関するものである。
【０００２】
【従来の技術】
一般に、人が亡くなった場合の葬儀においては、柩の中の故人等に最後のお別れをした後は、遺族その他故人と特に親密な関係にあった人達が柩に蓋をして、くぎを打ちつけて固定し、斎場（火葬場）へ運ばれて火葬され、火葬後に残ったお骨の一部は骨壺に拾って保管される。その後、それを自宅のお社や仏壇に一時的に祀られ・供養され、その後はお墓等に埋葬されて長期にわたり祀られ・供養されている。
【０００３】
また近時は、ペット動物についても葬儀が行われる風習ができつつあり、人の場合と同様に柩の中の亡くなったペット動物に最後の別れをした後、飼い主等が柩に蓋をしてくぎを打ちつけて固定し、ペット動物用の火葬場へ運ばれて火葬され、火葬後に残った骨の一部を骨壺に拾う等して、その後はそれを自宅やペット動物用の墓に埋葬したりし、長く祀り・供養したりしている。
【０００４】
【考案が解決しようとする課題】
ところで遺族等の中には、生前の故人等との関係が非常に親密であったような場合に、その後も故人等との思い出や、精神的なつながりを大切にしたく思う人が少なくない。
【０００５】
そのような場合に、故人のお骨はいつまでも身近かに置いておけるわけではない。そこで、故人の衣服や所持品等の遺品を形見として分けて所有したり、身につけたりしている。しかし、それらを身につけたり所持していたりすることが似合わなかったり、嵩張ったりして無理な場合がある。
【０００６】
また、ペット動物が使用していた小屋、首輪、鈴等をいつまでも残しておいたりしているが、それらも嵩張ったり、時として邪魔になったりすることもある。
【０００７】
それでも、上記の葬儀で故人等と最後のお別れをし、柩の蓋にくぎを打ちつけたような特に親密な遺族等の中には、その後も故人等と精神的な繋がりを何らかの形で維持したく、何か縁のあるものを常に所持していたく願う人達がいる。
【０００８】
本考案は、そのような人達の思いに応えることを課題として考案したものである。即ち本考案の目的は、最後に柩の蓋にくぎを打ちつけたような、特に親密な間柄であった遺族等が、その後も故人等との精神的な繋がりを維持していたい、と願う心を大切にできるような物を提供することにある。
【０００９】
【課題を解決するための手段】
Ｉ　本考案に係る形見くぎＡの第１は、
柩１に蓋２を固定する際に打ち込むくぎであって、
耐火性を有する材質製とし、
その頭部３または胴部４の一部に、掛止用の通孔５を形成してあると共に、
所望なら故人と関係のある文字を付すことが可能な余白部６を形成し、
かつ先部７をやや滑らかに形成してあるものである。
【００１０】
ＩＩ　本考案に係る形見くぎＡの第２は、
柩１に蓋２をする際に打ち込むくぎであって、
耐火性を有する材質製とし、
その頭部３または胴部４の一部に、掛止用の通孔５を形成してあると共に、
所望なら故人と関係のある文字を付すことが可能な余白部６を形成し、
かつ先部７に、事後の携帯時にキャップ９を被せて用いるようにしたものである。
【００１１】
【考案の実施の形態】
上記構成において、くぎＡの材質を耐火性を有するようにしたのは、柩１の蓋２に打ち込んであったくぎＡが、火葬後においても熱で溶けたり、変形することが無くて、その形態をほぼ維持可能とするためである。
【００１２】
材質としては、例えば貴金属またはセラミック製が望ましい。これは、遺族等がそれを常に携帯するのに相応しい価値をも持たせるためであり、貴金属としては例えば金、プラチナ等であるが、それらに限らない。またそれ以外の金属で、例えばチタンやコバルトクロム合金等の耐火性をもつものでもよい。さらにセラミック（陶材）でも、ここで使用するくぎとしての強度を有するものであればよい。
【００１３】
通孔５を形成するは、後で例えば掛止リング８や紐等を通挿して、キーホールダーにしたりするためで、小径孔でよい。また余白部６を形成するのは、例えば故人や亡くなったペット動物の生前の名前、亡くなった日等を刻印等の手段で記載可能な大きさであればよい。
【００１４】
先部７をやや滑らかに形成するのは、このくぎＡを後で所持する人が怪我をせぬようにするためであり、柩１の蓋２に打ち込む際に支障がない範囲で滑らかな形状としておく。またそれでも先部７の尖りが気になる場合には、例えば合成樹脂製のキャップ９を嵌めるようにしてもよい（例えば図３参照）。
【００１５】
上記の形見くぎの使用状態は、次のようになる。
葬儀に際して、予めこの形見くぎを用意しておく本数は、柩１の蓋２に打ち付けるくぎの全ての数ではない。故人の遺族等の内、最後に柩１の蓋２にくぎＡを打ち付けるような特に親密な間柄であった人達で、かつ今後も故人等との精神的な繋がりを維持したいと希望する人の数だけ用意しておく。
【００１６】
最後のお別れの後、このくぎＡで蓋２を取り付けられた柩１は、その後に火葬場で火葬に付される。火葬後のお骨拾いに際して、お骨の一部を拾って骨壺へ収納し、それと同時に、このくぎＡを打ち付けた遺族等はこの形見くぎＡも拾っておく。
【００１７】
上記の火葬の場合に、日本では通常は摂氏８００度で燃焼されるが、上記の形見くぎＡは耐火性を有する材質としてある。その溶解温度は、例えば金が約１０６４度、白金が約１７７３度、チタンが約１７００度、コバルトクロム合金が約１３００度、セラミックが約１１５０度であるから、火葬後も変形したり表面が損傷することなく、ぼぼ原型のままで残っている。
【００１８】
またこの形見くぎＡは、掛止用の通孔５を形成してあるので、リングや紐を通して、例えばキーホルダーとして所持すればよいし（例えば図５参照）、貴金属その他の材質でそれ自体も比較的価値があるものであるから、例えば財布等の中に入れて所持するようにしてもよい。材質が金や白金等の場合は、望むならそれを一旦熔解して指輪に加工してもよい。
【００１９】
さらにこの形見くぎＡは、上記のように余白部６を形成してあるので、予めまたは事後に、故人等の生前の名前や亡くなった日にちを刻印等で記しておけばよい。この形見くぎＡは、先部７をやや滑らかに形成してあることにより、所持時にそこで身体を傷つけたりする危険性も取り除かれている。しかも、さらに安全性を考えるなら、第２のものの如く、先部７に、事後の携帯時にキャップ９を被せて用いるようにしてもよい。この場合には先部寄りに、凹または凸部のキャップ抜止め用部１０を形成しておくことが望ましい。
【００２０】
このような形見くぎＡを所持する人は、故人等と最後のお別れをして、柩１に蓋２を取り付ける際に打ち付けたこの形見くぎＡを、最後のお別れの際の記憶と共に、長く所有することになる。また人によっては、故人等が自分を見守ってくれて、例えば交通安全に役立ったり、あるいは金運をもたらす縁起物と考えて所持する。
【００２１】
【実施例】
図１ないし図５は、本考案に係る形見くぎＡの実施例を示すものであるが、第１の実施例では、くぎＡの材質を耐熱性の高い白金製とし、また形状を図１で示すように縦長で薄い形状としてある。
【００２２】
即ち、全長が約３０ｍｍで、頭部３が平面図で見てほぼ矩形状で、横約１０ｍｍ、縦約２ｍｍ程度としてあり、また胴部４は頭部３から先部７に向かって徐々に細くなる曲線状で、かつ徐々に薄くなる形状として、その途中の正面に平坦な余白部６を形成すると共に、頭部３寄り位置に内径約２ｍｍ程度の通孔５を形成してある。そして先部７はあまり鋭くないように、角部の無い滑らかな形状に形成してある。
【００２３】
また図２は第２の実施例を示すもので、ここでは材質を金製とし、全長が約３０ｍｍで、頭部３が平面図で見てほぼ矩形状で、横約１０ｍｍ、縦約２ｍｍ程度とし、また胴部４は頭部３から先部７に向かって、断面が横約５ｍｍ、縦約２ｍｍ程度の薄い四角柱状で、その途中の正面に平坦な余白部６を形成すると共に、頭部３寄り位置に内径約２ｍｍ程度の通孔５を形成してある。そして先部７はあまり鋭くないように角部の無い滑らかな形状に形成してある。
【００２４】
図３は第３の実施例を示すもので、ここでは材質をセラミック製とし、全長が約３０ｍｍで、頭部３が平面図で見て円板状で、外径約７ｍｍ程度とし、また胴部４は円柱状で先部７寄りで細くしてあり、途中の円柱部周面に余白部６を形成すると共に、頭部３寄り位置に内径約２ｍｍ程度の通孔５を形成してある。そして先部７はあまり鋭くないように形成してあるが、ここでは念のためにキャップ９を被せるようにしてある。
【００２５】
図４は、上記図１で示した形見くぎＡで柩１の蓋２を固定する場合を示す斜視図であり、また図５は、灰の中から拾い出したその形見くぎＡを用いて、キーホルダーを作った場合を示している。
【００２６】
なお、上記実施例で示した材質・寸法等はそれに限るものでないことは勿論である。図で、１０はキャップ抜止め用部を示し、凹または凸部に形成してある。
【００２７】
【考案の効果】
以上で明らかな如く、本考案に係る形見くぎによれば、亡くなった故人等の葬儀において、最後のお別れをして柩の蓋にくぎを打ち付けたような、特に親密な間柄であった遺族等が、その後も彼らとの精神的な繋がりを維持していたいと願う心を、大切にできるものである。
【００２８】
即ち、本考案に係る形見くぎは、火葬後のお骨拾いの際に、お骨の一部を拾って骨壺へ収納すると同時に、先にこのくぎを打った人が灰の中からこれも拾い、思い出の品とすることができる。
【００２９】
この形見くぎは、耐火性を有する材質としてあるので、火葬後も変形したり表面が損傷することなくぼぼ原型のままで残っており、自分が最後に柩の蓋に打ちつけた形見の品として残すことができる。
【００３０】
またこの形見くぎは、掛止用の通孔を形成してあるので、必要ならリングや紐を通して、例えばキーホルダーとして所持すればよいし、貴金属その他の材質でそれ自体も所持する価値があるものであるから、例えば財布等の中に入れて所持することもできる。
【００３１】
さらにこの形見くぎは、正面の一部に余白部を形成してあるので、火葬の前に予め、または事後に、故人やペット動物の生前の名前や、亡くなった日付けを刻印等で記録しておくことができる。
【００３２】
さらにこのこの形見くぎは、先部をやや滑らかに形成し、またはキャップを被せて用いることにより、所持時に身体を傷つけたりする危険性も取り除かれており、最後のお別れの際の記憶と共に、この形見くぎを長く所持することで、故人やペット動物との生前の思い出や精神的な繋がりの中にいることができる。
【図面の簡単な説明】
【図１】本考案に係る形見くぎの実施例を示す斜視図である。
【図２】本考案に係る形見くぎの他の実施例を示す斜視図である。
【図３】本考案に係る形見くぎのさらに他の実施例を示す斜視図である。
【図４】本考案に係る形見くぎを柩に打ち付ける際の斜視図である。
【図５】図１で示した形見くぎをキーホルダーとした例を示す斜視図である。
【符号の説明】
Ａ−形見くぎ
１−柩
２−蓋
３−頭部
４−胴部
５−通孔
６−余白部
７−先部
８−掛止リング
９−キャップ
１０−キャップ抜止め用部
【図１】
0003098368.tif 000003
【図２】
0003098368.tif 000004
【図３】
0003098368.tif 000005
【図４】
0003098368.tif 000006
【図５】
0003098368.tif 000007